(57)【要約】      （修正有）【課題】切削機械の定盤上における鉄鋼板材の片端持上げや回転移動作業において、熟練を必要とせず比較的容易に身体負担を軽減できる補助具であるリフト操作具を提供する。【解決手段】鉄鋼材料に吸着させて、その鉄鋼材料を移動操作するために用いられるリフト操作具であって、リフト操作棒２と、オンオフ切替式の吸着マグネット３と、この吸着マグネットをリフト操作棒に固定するための固定手段４とを備え、吸着マグネットはリフト操作棒の先端部に対し固定手段により一体的に固定されてなる、ことを特徴とする。【選択図】図５
0003198106.tif 000002
【実用新案登録請求の範囲】
【請求項１】
鉄鋼材料に吸着させて、その鉄鋼材料を移動操作するために用いられるリフト操作具であって、リフト操作棒と、オンオフ切替式の吸着マグネットと、この吸着マグネットを前記リフト操作棒に固定するための固定手段とを備え、前記吸着マグネットは前記リフト操作棒の先端部に対し前記固定手段により一体的に固定されてなる、ことを特徴とするリフト操作具。
【請求項２】
請求項１に記載のリフト操作具において、前記リフト操作棒は所定の長さを有し、その基端部には凹凸形状の握り部が形成されている、リフト操作具。
【考案の詳細な説明】
【技術分野】
【０００１】  本考案は、主に鉄板等の人力保持可能程度の重量物を対象にして、持上げ移動等の操作を行うためのリフト操作具である。
【背景技術】
【０００２】  作業机上または、切削機械の定盤の上で加工材料の持上げ又は移動する時に、鉄鋼板には手掛かり部位や隙間が無く安全手袋では作業がしにくく手の疲労を伴っており、特に重量が両手で維持出来る１０ｋｇ程度以上では困難を伴っていた。
【考案の概要】
【考案が解決しようとする課題】
【０００３】  このような重量物の持上げには、上部設置のウインチやクレーンでの吊り上げも行われているが、例えば１０〜３０ｋｇ程度では人力で行うことが要請されている。そして複数枚の鉄鋼板を積層状に積み重ねた状態では、一枚毎に人力で剥がす作業に多大な手間や熟練を要していた。このため、熟練を必要とせず比較的容易に身体負担を軽減し得るリフト操作具の開発が要請されている。
【課題を解決するための手段】
【０００４】  本考案に係るリフト操作具として、鉄鋼材料に吸着させて、その鉄鋼材料を移動操作するために用いられるリフト操作具であって、リフト操作棒と、オンオフ切替式の吸着マグネットと、この吸着マグネットを前記リフト操作棒に固定するための固定手段とを備え、前記吸着マグネットは前記リフト操作棒の先端部に対し前記固定手段により一体的に固定した。
このリフト操作具で身体負担を軽減することを解決した。
【考案の効果】
【０００５】  鉄鋼材料として鉄鋼板を対象にして引き上げ操作を行うには、鉄鋼板の上に吸着マグネットを置き、切替レバーをオフ状態からオン状態に切替えて鉄鋼板に吸着力を作用させる。次に、リフト操作棒の握り部を握持して上方に引き上げる事によりテコの原理で、前記鉄鋼板をその奥方の端辺を支持点として引き上げる事が出来る。比較的軽く引き上げる事が出来るため、片手でリフト操作具を操作して鉄工板を引き上げ、この状態で他の片手でエアガン等を操作して鉄鋼板に付着した切削液等の付着物を吹き飛ばして清掃することが出来るようになる。この時の片手の負荷荷重は長辺４０ｃｍ短辺２０ｃｍ厚さ２０ｍｍ重量約１３ｋｇ  鉄鋼板の中心をオンオフ切替式の吸着マグネットで吸着し９０ｃｍのリフト操作棒を使用した場合約１／１０  約１．３ｋｇの操作力となる。
【図面の簡単な説明】
【０００６】
【図１】本考案のリフト操作具の長辺方向側面図である。
【図２】リフト操作具の平面図である
【図３】リフト操作具の短辺方向側面図である。
【図４】リフト操作具を鉄鋼板に吸着させるために水平状態の鉄鋼板に載せた状態の斜視図である。
【図５】リフト操作具を鉄鋼板に吸着させリフト操作具を斜め上に引き上げる事により鉄鋼板を引き起こした状態を示す斜視図である。
【考案を実施するための形態】
【０００７】  以下図面を参照しつつ、本考案のリフト操作具について詳細説明をする。
【０００８】  本考案のリフト操作具１は、リフト操作棒２と、オンオフ切替式の吸着マグネット３と、この吸着マグネット３とリフト操作棒２を互いに固定して一体化させるための固定手段４とを備えている。
【０００９】  リフト操作棒２は、木製又は金属製の物とし、操作対象の鉄鋼板の重量に応じて例えば６０ｃｍから１００ｃｍ程度の長さの物とする。
基端部は握り部とし凹凸形状部を形成し、先端部に前記固定手段４による装着部を形成している。本実施形態図は、アルミニウム鋼材によりリフト操作棒２を形成し、装着部には装着孔２１を貫通形成している。
【００１０】  吸着マグネット３は、切替レバー３１を用いてオンオフ切替操作を行なう事により、対象の鉄鋼板５に対し吸着力を作用させたオン状態と、その吸着力を解除させたオフとに切替可能になっている。このような吸着マグネットとしては周知の物を用いる事が出来る。又吸着マグネット３にはリフト操作棒２に対し固定するために環状の装着片３２が上方に突出して設けられている。
【００１１】  固定手段４としては種々の物が採用できるが、本実施形態ではボルトナットを用いている。そして前記装着片３２をリフト操作棒２の先端部とナット４との間で挟み付けてボルトナット４締結することにより、リフト操作棒２と吸着マグネットとを互いに固定して一体化している。
【００１２】  本リフト操作具１を用いて鉄鋼板５を引き上げるには、図４に示すように積み重ね状態の一番上の鉄鋼板５の上に吸着マグネットを置き、切替レバー３１をオフ状態からオン状態に切替えて鉄鋼板５に吸着力を作用させる。次に、リフト操作棒２の握り部を握持して図５の矢印６で示すように上方に引き上げる事によりテコの原理で、前記鉄鋼板をその奥方の端辺を支持点として引き上げる事が出来る。比較的軽く引き上げる事が出来るため、片手でリフト操作具１を操作して鉄鋼板５を引き上げ、この状態で他の片手でエアガン等を操作して鉄鋼板５に付着した切削液等の付着物を吹き飛ばして清掃することが出来るようになる。この時の片手の負荷荷重は長辺４０ｃｍ短辺２０ｃｍ厚さ２０ｍｍ重量約１３ｋｇ  鉄鋼板の中心をオンオフ切替式の吸着マグネットで吸着し９０ｃｍのリフト操作棒を使用した場合  約１／１０  約１．３ｋｇの操作力となる。
又、図５の矢印７で示すようにリフト操作具１の握り部を横方向に回転させる事により、鉄鋼板５を横方向に移動させる事も容易に出来るようになる。
【符号の説明】
【００１３】  １    リフト操作具本体である。
２    リフト操作棒である。
２１  貫通形成したオンオフ切替式の吸着マグネットの装着孔である
３    オンオフ切替式の吸着マグネットである
３１  上記の吸着マグネット３の吸着オンオフ切替レバーである。
３２  上記の吸着マグネット３の固定取付用環状装着片である
４    本リフト操作棒にオンオフ切替式吸着マグネットを取付ける為のボルトナットで        ある
５    操作対象の鉄鋼板材である。
６    リフト操作具の上下方向操作を説明する円弧である。
７    リフト操作具の横方向操作を説明する円弧である。
【図１】
0003198106.tif 000003
【図２】
0003198106.tif 000004
【図３】
0003198106.tif 000005
【図４】
0003198106.tif 000006
【図５】
0003198106.tif 000007